(57)【要約】【課題】  複数の商品についてポップ広告を作成することができる出力内容編集システム、出力内容編集プログラム及び出力内容編集方法を提供する。【解決手段】  出力内容編集システム１は、ポップ広告用紙に出力する内容を編集するための出力内容編集システムであって、商品情報群記憶部１９と第１入力部１１とを備える。商品情報群記憶部１９は、候補商品情報群を記憶している。候補商品情報群は、ポップ広告用紙に出力される候補となる複数の商品の情報である。第１入力部１１には、第１対応付け情報が入力される。第１対応付け情報は、出力商品情報群と用紙識別情報とが対応付けられた情報である。出力商品情報群は、候補商品情報群における２以上の商品の情報である。用紙識別情報は、ポップ広告用紙を識別するための情報である。【選択図】      図１
2006120077.tif 000002
【特許請求の範囲】
【請求項１】
ポップ広告用紙に出力する内容を編集するための出力内容編集システムであって、
前記ポップ広告用紙に出力される候補となる複数の商品の情報である候補商品情報群を記憶している商品情報群記憶部と、
前記候補商品情報群における２以上の商品の情報である出力商品情報群と、前記ポップ広告用紙を識別するための情報である用紙識別情報とが対応付けられた情報である第１対応付け情報が入力される第１入力部と、
を備えた、
出力内容編集システム。
【請求項２】
前記候補商品情報群を表示する表示部と、
前記第１対応付け情報を記憶する第１対応付け記憶部と、
をさらに備えた、
請求項１に記載の出力内容編集システム。
【請求項３】
前記第１対応付け情報に基づいて、前記候補商品情報群における複数の商品の情報を前記ポップ広告用紙に出力する出力部をさらに備えた、
請求項１又は２に記載の出力内容編集システム。
【請求項４】
前記候補商品情報群における各商品の情報は、各商品の商品名、各商品のメーカー名、各商品の産地、各商品の規格、各商品の売価及び各商品の表示順の少なくとも１つを含む、
請求項１から３のいずれかに記載の出力内容編集システム。
【請求項５】
前記ポップ広告用紙において出力される場所に関する情報である出力場所情報と前記用紙識別情報とが対応付けられた情報である第２対応付け情報が入力される第２入力部と、
前記第２対応付け情報を記憶する第２対応付け記憶部と、
をさらに備え、
前記出力部は、前記第１対応付け情報と前記第２対応付け情報とに基づいて、前記候補商品情報群における複数の商品の情報を前記ポップ広告用紙に出力する、
請求項３に記載の出力内容編集システム。
【請求項６】
前記出力商品情報群における各商品の情報と、前記出力商品情報群において共通に出力される情報であることを示す共通出力情報とが対応づけられた情報である第３対応付け情報が入力される第３入力部と、
前記第３対応付け情報を記憶する第３対応付け記憶部と、
をさらに備え、
前記出力部は、前記第１対応付け情報と前記第３対応付け情報とに基づいて、前記候補商品情報群における複数の商品の情報を前記ポップ広告用紙に出力する、
請求項３に記載の出力内容編集システム。
【請求項７】
前記各商品の情報の出力される場所の数よりも、出力される商品の数である出力商品数が多いと判断される場合に、前記出力場所情報の変更に関する情報を報知する報知部をさらに備えた、
請求項５に記載の出力内容編集システム。
【請求項８】
ポップ広告用紙に出力する内容をコンピュータに編集させるための出力内容編集プログラムであって、
前記ポップ広告用紙に出力される候補となる複数の商品の情報である候補商品情報群が記憶される第１ステップと、
前記候補商品情報群における２以上の商品の情報である出力商品情報群と、前記ポップ広告用紙を識別するための情報である用紙識別情報とが対応付けられた情報である第１対応付け情報が入力される第２ステップと、
を備えた、
出力内容編集プログラム。
【請求項９】
ポップ広告用紙に出力する内容が編集される出力内容編集方法であって、
前記ポップ広告用紙に出力される候補となる複数の商品の情報である候補商品情報群が記憶される第１ステップと、
前記候補商品情報群における２以上の商品の情報である出力商品情報群と、前記ポップ広告用紙を識別するための情報である用紙識別情報とが対応付けられた情報である第１対応付け情報が入力される第２ステップと、
を備えた、
出力内容編集方法。
【発明の詳細な説明】
【技術分野】
【０００１】
本発明は、出力内容編集システム、出力内容編集プログラム及び出力内容編集方法に関する。
【背景技術】
【０００２】
従来から、スーパーマーケットや商店などの店頭において商品紹介やセール内容などの広告を行うために、マーカを用いてその内容を用紙に手書きで記入しこれを店頭に表示するいわゆるポップ（ＰＯＰ；Ｐｏｉｎｔ  ｏｆ  Ｐｕｒｃｈａｓｅ）広告が広く用いられている。また、このようなポップ広告として用いられるポップ広告用紙に出力する内容を、コンピュータによって編集するようなシステムが提案されている（例えば、特許文献１参照）。
【特許文献１】特開２００２−７３７７０（第１−７図、第１−６頁）
【発明の開示】
【発明が解決しようとする課題】
【０００３】
しかし、従来のシステムでは、１つの商品についてしかポップ広告を作成することができない。このため、複数の商品についてポップ広告を作成したい場合には、ポップ広告を作成することができない。例えば、商品の名称が同じで商品の規格が異なる複数の商品についてポップ広告を作成したい場合や、同じカテゴリーに入れられるが商品の名称が異なる複数の商品についてポップ広告を作成したい場合に、ポップ広告を作成することができない。
【０００４】
したがって、本発明の目的は、複数の商品についてポップ広告を作成することができる出力内容編集システム、出力内容編集プログラム及び出力内容編集方法を提供することにある。
【課題を解決するための手段】
【０００５】
第１発明に係る出力内容編集システムは、ポップ広告用紙に出力する内容を編集するための出力内容編集システムであって、商品情報群記憶部と第１入力部とを備える。商品情報群記憶部は、候補商品情報群を記憶している。候補商品情報群は、ポップ広告用紙に出力される候補となる複数の商品の情報である。第１入力部には、第１対応付け情報が入力される。第１対応付け情報は、出力商品情報群と用紙識別情報とが対応付けられた情報である。出力商品情報群は、候補商品情報群における２以上の商品の情報である。用紙識別情報は、ポップ広告用紙を識別するための情報である。
【０００６】
この出力内容編集システムでは、商品情報群記憶部が、候補商品情報群を記憶している。候補商品情報群が表示され得る。候補商品情報群から出力商品情報群が選択され得る。第１入力部に、第１対応付け情報が入力される。第１対応付け情報が記憶され得る。
したがって、第１対応付け情報が入力されるので、複数の商品の情報とポップ広告用紙とを関連づけることができる。このため、複数の商品の情報を１枚のポップ広告用紙に出力することができる。この結果、複数の商品についてポップ広告を作成することができる。
【０００７】
第２発明に係る出力内容編集システムは、第１発明の出力内容編集システムであって、表示部と第１対応付け記憶部とをさらに備える。表示部は、候補商品情報群を表示する。第１対応付け記憶部は、第１対応付け情報を記憶する。
この出力内容編集システムでは、商品情報群記憶部が、候補商品情報群を記憶している。表示部が、候補商品情報群を受け取ることができる。表示部が、候補商品情報群を表示する。候補商品情報群から出力商品情報群が選択され得る。第１入力部に、第１対応付け情報が入力される。第１対応付け記憶部が、第１対応付け情報を受け取ることができる。第１対応付け記憶部が、第１対応付け情報を記憶する。
【０００８】
したがって、候補商品情報群を表示するので、第１入力部に第１対応付け情報が入力される際に、候補商品情報群から出力商品情報群を選択することができる。また、第１対応付け情報を記憶するので、複数の商品の情報とポップ広告用紙とを関連づけることができることができる。
第３発明に係る出力内容編集システムは、第１発明又は第２発明の出力内容編集システムであって、出力部をさらに備える。出力部は、第１対応付け情報に基づいて、候補商品情報群における複数の商品の情報をポップ広告用紙に出力する。
【０００９】
この出力内容編集システムでは、商品情報群記憶部が、候補商品情報群を記憶している。候補商品情報群が表示され得る。候補商品情報群から出力商品情報群が選択され得る。第１入力部に、第１対応付け情報が入力される。第１対応付け情報が記憶され得る。出力部が、第１対応付け情報に基づいた情報を受け取ることができる。出力部が、第１対応付け情報に基づいて、候補商品情報群における複数の商品の情報をポップ広告用紙に出力する。
【００１０】
したがって、第１対応付け情報に基づいて、候補商品情報群における複数の商品の情報をポップ広告用紙に出力するので、複数の商品の情報を１枚のポップ広告用紙に出力することができる。
第４発明に係る出力内容編集システムは、第１発明から第３発明のいずれかの出力内容編集システムであって、候補商品情報群における各商品の情報は、各商品の商品名、各商品のメーカー名、各商品の産地、各商品の規格、各商品の売価及び各商品の表示順の少なくとも１つを含む。
【００１１】
この出力内容編集システムでは、商品情報群記憶部が、候補商品情報群を記憶している。候補商品情報群が表示され得る。候補商品情報群から出力商品情報群が選択され得る。候補商品情報群における各商品の情報が、各商品の商品名、各商品のメーカー名、各商品の産地、各商品の規格、各商品の売価及び各商品の表示順の少なくとも１つを含む。第１入力部に、第１対応付け情報が入力される。第１対応付け情報が記憶され得る。
【００１２】
したがって、詳細な情報を考慮して、候補商品情報群から出力商品情報群を選択することができる。
第５発明に係る出力内容編集システムは、第３発明の出力内容編集システムであって、第２入力部と第２対応付け記憶部とをさらに備える。第２入力部には、第２対応付け情報が入力される。第２対応付け情報は、出力場所情報と用紙識別情報とが対応付けられた情報である。出力場所情報は、ポップ広告用紙において出力される場所に関する情報である。第２対応付け記憶部は、第２対応付け情報を記憶する。出力部は、第１対応付け情報と第２対応付け情報とに基づいて、候補商品情報群における複数の商品の情報をポップ広告用紙に出力する。
【００１３】
この出力内容編集システムでは、商品情報群記憶部が、候補商品情報群を記憶している。候補商品情報群が表示され得る。候補商品情報群から出力商品情報群が選択され得る。第１入力部に、第１対応付け情報が入力される。第１対応付け情報が記憶され得る。第２入力部に、第２対応付け情報が入力される。第２対応付け記憶部が、第２対応付け情報を受け取ることができる。第２対応付け記憶部が、第２対応付け情報を記憶する。出力部が、第１対応付け情報と第２対応付け情報とを受け取ることができる。出力部が、第１対応付け情報と第２対応付け情報とに基づいて、候補商品情報群における複数の商品の情報をポップ広告用紙に出力する。
【００１４】
したがって、第１対応付け情報と第２対応付け情報とに基づいて、候補商品情報群における複数の商品の情報をポップ広告用紙に出力するので、レイアウトを考慮しながら複数の商品の情報を１枚のポップ広告用紙に出力することができる。
第６発明に係る出力内容編集システムは、第３発明の出力内容編集システムであって、第３入力部と第３対応付け記憶部とをさらに備える。第３入力部には、第３対応付け情報が入力される。第３対応付け情報は、出力商品情報群における各商品の情報と共通出力情報とが対応づけられた情報である。共通出力情報は、出力商品情報群において共通に出力される情報であることを示す情報である。第３対応付け記憶部は、第３対応付け情報を記憶する。出力部は、第１対応付け情報と第３対応付け情報とに基づいて、候補商品情報群における複数の商品の情報をポップ広告用紙に出力する。
【００１５】
この出力内容編集システムでは、商品情報群記憶部が、候補商品情報群を記憶している。候補商品情報群が表示され得る。候補商品情報群から出力商品情報群が選択され得る。第１入力部に、第１対応付け情報が入力される。第１対応付け情報が記憶され得る。第３入力部に、第３対応付け情報が入力される。第３対応付け記憶部が、第３対応付け情報を受け取ることができる。第３対応付け記憶部が、第３対応付け情報を記憶する。出力部が、第１対応付け情報と第３対応付け情報とを受け取ることができる。出力部が、第１対応付け情報と第３対応付け情報とに基づいて、候補商品情報群における複数の商品の情報をポップ広告用紙に出力する。
【００１６】
したがって、第１対応付け情報と第３対応付け情報とに基づいて、出力商品情報群をポップ広告用紙に出力するので、共通の情報が重複して出力されることを低減しながら、複数の商品の情報を１枚のポップ広告用紙に出力することができる。
第７発明に係る出力内容編集システムは、第５発明の出力内容編集システムであって、報知部をさらに備える。報知部は、各商品の情報の出力される場所の数よりも出力商品数が多いと判断される場合に、出力場所情報の変更に関する情報を報知する。出力商品数は、出力される商品の数である。
【００１７】
この出力内容編集システムでは、商品情報群記憶部が、候補商品情報群を記憶している。候補商品情報群が表示され得る。候補商品情報群から出力商品情報群が選択され得る。第１入力部に、第１対応付け情報が入力される。第１対応付け情報が記憶され得る。第２入力部に、第２対応付け情報が入力される。第１対応付け情報に基づいて、出力商品数が特定され得る。第２対応付け情報に基づいて、各商品の情報の出力される場所の数が特定され得る。各商品の情報の出力される場所の数よりも出力商品数が多いか否かが判断され得る。報知部が、出力される場所の数よりも出力商品数が多いか否かの情報を受け取ることができる。報知部が、各商品の情報の出力される場所の数よりも出力商品数が多いと判断される場合に、出力場所情報の変更に関する情報を報知する。
【００１８】
したがって、各商品の情報の出力される場所の数よりも出力商品数が多いと判断される場合に、出力場所情報の変更に関する情報を報知するので、出力したい複数の商品の一部の情報が出力されない不具合を低減することができる。
第８発明に係る出力内容編集プログラムは、ポップ広告用紙に出力する内容をコンピュータに編集させるための出力内容編集プログラムであって、第１ステップと第２ステップとを備える。第１ステップでは、候補商品情報群が記憶される。候補商品情報群は、ポップ広告用紙に出力される候補となる複数の商品の情報である。第２ステップでは、第１対応付け情報が入力される。第１対応付け情報は、出力商品情報群と用紙識別情報とが対応付けられた情報である。出力商品情報群は、候補商品情報群における２以上の商品の情報である。用紙識別情報は、ポップ広告用紙を識別するための情報である。
【００１９】
この出力内容編集プログラムでは、第１ステップにおいて、候補商品情報群が記憶される。候補商品情報群が表示され得る。候補商品情報群から出力商品情報群が選択され得る。第２ステップにおいて、第１対応付け情報が入力される。第１対応付け情報が記憶され得る。
したがって、第１対応付け情報を記憶しているので、複数の商品の情報とポップ広告用紙とを関連づけることができる。このため、複数の商品の情報を１枚のポップ広告用紙に出力することができる。この結果、複数の商品についてポップ広告を作成することができる。
【００２０】
第９発明に係る出力内容編集方法は、ポップ広告用紙に出力する内容が編集される出力内容編集方法であって、第１ステップと第２ステップとを備える。第１ステップでは、候補商品情報群が記憶される。候補商品情報群は、ポップ広告用紙に出力される候補となる複数の商品の情報である。第２ステップでは、第１対応付け情報が入力される。第１対応付け情報は、出力商品情報群と用紙識別情報とが対応付けられた情報である。出力商品情報群は、候補商品情報群における２以上の商品の情報である。用紙識別情報は、ポップ広告用紙を識別するための情報である。
【００２１】
この出力内容編集方法では、第１ステップにおいて、候補商品情報群が記憶される。候補商品情報群が表示され得る。候補商品情報群から出力商品情報群が選択され得る。第２ステップにおいて、第１対応付け情報が入力される。第１対応付け情報が記憶され得る。
したがって、第１対応付け情報を記憶しているので、複数の商品の情報とポップ広告用紙とを関連づけることができる。このため、複数の商品の情報を１枚のポップ広告用紙に出力することができる。この結果、複数の商品についてポップ広告を作成することができる。
【発明の効果】
【００２２】
第１発明に係る出力内容編集システムでは、第１対応付け情報が入力されるので、複数の商品の情報とポップ広告用紙とを関連づけることができる。このため、複数の商品の情報を１枚のポップ広告用紙に出力することができる。この結果、複数の商品についてポップ広告を作成することができる。
第２発明に係る出力内容編集システムでは、候補商品情報群を表示するので、第１入力部に第１対応付け情報が入力される際に、候補商品情報群から出力商品情報群を選択することができる。また、第１対応付け情報を記憶するので、複数の商品の情報とポップ広告用紙とを関連づけることができることができる。
【００２３】
第３発明に係る出力内容編集システムでは、第１対応付け情報に基づいて、候補商品情報群における複数の商品の情報をポップ広告用紙に出力するので、複数の商品の情報を１枚のポップ広告用紙に出力することができる。
第４発明に係る出力内容編集システムでは、詳細な情報を考慮して、候補商品情報群から出力商品情報群を選択することができる。
【００２４】
第５発明に係る出力内容編集システムでは、第１対応付け情報と第２対応付け情報とに基づいて、候補商品情報群における複数の商品の情報をポップ広告用紙に出力するので、レイアウトを考慮しながら複数の商品の情報を１枚のポップ広告用紙に出力することができる。
第６発明に係る出力内容編集システムでは、第１対応付け情報と第３対応付け情報とに基づいて、出力商品情報群をポップ広告用紙に出力するので、共通の情報が重複して出力されることを低減しながら、複数の商品の情報を１枚のポップ広告用紙に出力することができる。
【００２５】
第７発明に係る出力内容編集システムでは、各商品の情報の出力される場所の数よりも出力商品数が多いと判断される場合に、出力場所情報の変更に関する情報を報知するので、出力したい複数の商品の一部の情報が出力されない不具合を低減することができる。
第８発明に係る出力内容編集プログラムでは、第１対応付け情報を記憶しているので、複数の商品の情報とポップ広告用紙とを関連づけることができる。このため、複数の商品の情報を１枚のポップ広告用紙に出力することができる。この結果、複数の商品についてポップ広告を作成することができる。
【００２６】
第９発明に係る出力内容編集方法では、第１対応付け情報を記憶しているので、複数の商品の情報とポップ広告用紙とを関連づけることができる。このため、複数の商品の情報を１枚のポップ広告用紙に出力することができる。この結果、複数の商品についてポップ広告を作成することができる。
【発明を実施するための最良の形態】
【００２７】
［第１実施形態］
図１に、本発明の第１実施形態にかかる出力内容編集システム１の構成図を示す。出力内容編集システム１は、ポップ広告用紙（図１３の用紙３１１参照）に出力する内容を編集するためのシステムである。
＜出力内容編集システム１の全体構成＞
図１に示す出力内容編集システム１は、主として、出力内容編集装置１０及びプリンタ３０を備える。
【００２８】
プリンタ３０が、出力内容編集装置１０から情報を受け取る。プリンタ３０が、出力内容編集装置１０から受け取った情報に基づいて、ポップ広告用紙に複数の商品の情報を出力する。
＜出力内容編集装置１０の構成＞
図１に示す出力内容編集装置１０は、主として、第１入力部１１，第２入力部１２，第３入力部１３，第１対応付け記憶部１５，第２対応付け記憶部１６，第３対応付け記憶部１７，商品情報群記憶部１９，制御部２１，特定部２２，報知部２３及び表示部２４を備える。
【００２９】
商品情報群記憶部１９が、候補商品情報群（図５参照）を記憶している。ここで、候補商品情報群は、ポップ広告用紙に出力される候補となる複数の商品の情報である。表示部２４が、候補商品情報群（図５参照）を制御部２１経由で商品情報群記憶部１９から受け取る。表示部２４が、候補商品情報群を表示する。候補商品情報群から出力商品情報群が選択される。ここで、出力商品情報群は、候補商品情報群における２以上の商品の情報である。第１入力部１１に、第１対応付け情報が入力される。ここで、第１対応付け情報は、出力商品情報群と用紙識別情報とが対応付けられた情報である（図６参照）。用紙識別情報は、ポップ広告用紙を識別するための情報である。第１対応付け記憶部１５が、第１対応付け情報を制御部２１経由で第１入力部１１から受け取る。第１対応付け記憶部１５が、第１対応付け情報を記憶する。
【００３０】
第３入力部１３に、第３対応付け情報が入力される。ここで、第３対応付け情報は、出力商品情報群における各商品の情報と共通出力情報とが対応づけられた情報である。共通出力情報は、候補商品情報群において共通に出力される情報であることを示す情報である（図８の共通出力情報欄１７３参照）。第３対応付け記憶部１７が、第３対応付け情報を制御部２１経由で第３入力部１３から受け取る。第３対応付け記憶部１７が、第３対応付け情報を記憶する。
【００３１】
特定部２２が、第１対応付け情報を制御部２１経由で第１対応付け記憶部１５から受け取る。特定部２２が、第１対応付け情報に基づいて、出力商品数を特定する。ここで、出力商品数は、出力される商品の数である。
第２入力部１２に、第２対応付け情報が入力される。ここで、第２対応付け情報は、出力場所情報と用紙識別情報とが対応付けられた情報である（図７参照）。出力場所情報は、ポップ広告用紙において出力される場所に関する情報である（図７のレイアウト欄１６２参照）。第２対応付け記憶部１６が、第２対応付け情報を制御部２１経由で第２入力部１２から受け取る。第２対応付け記憶部１６が、第２対応付け情報を記憶する。特定部２２が、第２対応付け情報を制御部２１経由で第２対応付け記憶部１６から受け取る。特定部２２が、第２対応付け情報に基づいて、各商品の情報の出力される場所の数を特定する。
【００３２】
制御部２１が、各商品の情報の出力される場所の数の情報と出力商品数の情報とを特定部２２から受け取る。制御部２１が、各商品の情報の出力される場所の数よりも出力商品数が多いか否かを判断する。報知部２３が、出力される場所の数よりも出力商品数が多いか否かの情報を制御部２１から受け取る。報知部２３が、各商品の情報の出力される場所の数よりも出力商品数が多いと制御部２１が判断する場合に、出力場所情報の変更に関する情報を報知する。具体的には、報知部２３が、「このレイアウトは選択しているデータ件数がすべて表示できません。選択しますか？」という警告の情報を、表示部２４へ渡し、表示部２４に表示させる。第２対応付け情報の変更が必要な場合に、第２入力部１２に、変更後の第２対応付け情報が入力される。第２対応付け記憶部１６が、変更後の第２対応付け情報を制御部２１経由で第２入力部１２から受け取る。第２対応付け記憶部１６が、変更後の第２対応付け情報を変更前の第２対応付け情報に対して上書きで記憶する。
【００３３】
制御部２１が、第１対応付け記憶部１５から第１対応付け情報を受け取り、第２対応付け記憶部１６から第２対応付け情報を受け取り、第３対応付け記憶部１７から第３対応付け情報を受け取る。制御部２１が、第１対応付け情報と第２対応付け情報と第３対応付け情報とをプリンタ３０へ渡す。
＜プリンタ３０の構成＞
図１に示すプリンタ３０は、主として、出力部３１を備える。
【００３４】
出力部３１が、第１対応付け情報と第２対応付け情報と第３対応付け情報とを、出力内容編集装置１０から受け取る。出力部３１が、第１対応付け情報と第２対応付け情報と第３対応付け情報とに基づいて、候補商品情報群における複数の商品の情報をポップ広告用紙に出力するための印刷データを作成する。出力部３１が、印刷データに基づき、複数の商品の情報をポップ広告用紙に印刷する。これにより、図１３に示すような、ポップ広告が得られる。
【００３５】
＜候補商品情報群の構成＞
図１に示す商品情報群記憶部１９が記憶している候補商品情報群は、図５に示すように、主として、商品名欄１９１，メーカー名又は産地欄１９２，規格欄１９３及び売価欄１９４を備える。
商品名欄１９１には、商品の名前が記憶されている。メーカー名又は産地欄１９２には、商品の製造元であるメーカーの名前や商品の産地が記憶されている。規格欄１９３には、商品の規格が記憶されている。売価欄１９４には、商品の税込みの売価が記憶されている。これらの情報は、出力商品情報群の候補となる複数の商品の情報である。例えば、後述のように、商品Ａ・商品Ｂ・商品Ｃ・商品Ｄの情報が１つの出力商品情報群として選択される。
【００３６】
＜第１対応付け情報の構成＞
図１に示す第１対応付け記憶部１５が記憶している第１対応付け情報は、図６に示すように、主として、商品名欄１５１，規格欄１５２，用紙識別情報欄１５３及び表示順欄１５４を備える。
商品名欄１５１には、商品の名前が記憶されている。規格欄１５２には、商品の規格が記憶されている。用紙識別情報欄１５３には、用紙識別情報が記憶されている。表示順欄１５４には、ポップ広告用紙における各商品の表示順が記憶されている。なお、１枚のポップ広告用紙に１つの商品しか対応づけられていない場合、表示順欄１５４に、１が記憶されることになる。
【００３７】
図６に示す第１対応付け情報を参照することにより、どの商品が１枚のポップ広告用紙に対応づけられているかが把握される。例えば、図６に示す場合、商品Ａ・商品Ｂ・商品Ｃ・商品Ｄが用紙Ｒに対応づけられており、商品Ｆの「２３５／４０Ｒ  １８」が用紙Ｓに対応づけられていることが分かる。また、ポップ広告用紙において表示される順番が把握される。例えば、図６に示す場合、用紙Ｒにおいて、商品Ａ，商品Ｂ，商品Ｃ，商品Ｄの順番に表示され、用紙Ｓにおいて、商品Ｆの「２３５／４０Ｒ  １８」のみが表示されることが分かる。
【００３８】
＜第３対応付け情報の構成＞
図１に示す第３対応付け記憶部１７が記憶している第３対応付け情報は、図８に示すように、主として、用紙識別情報欄１７１，対象欄１７２及び共通出力情報欄１７３を備える。
用紙識別情報欄１７１には、用紙識別情報が記憶されている。対象欄１７２には、対象となる商品の情報（図５参照）が記憶されている。共通出力情報欄１７３には、共通出力情報が記憶されている。
【００３９】
図８に示す第３対応付け情報を参照することにより、出力される各商品の情報のうち、どの情報を共通の情報としてポップ公告用紙に出力するのかが把握される。例えば、図８に示す場合、用紙Ｒにおいて、どの情報も共通の情報として出力されないことがわかる。
＜第２対応付け情報の構成＞
図１に示す第２対応付け記憶部１６が記憶している第２対応付け情報は、図７に示すように、主として、用紙識別情報欄１６１及びレイアウト欄１６２を備える。
【００４０】
用紙識別情報欄１６１には、用紙識別情報が記憶されている。レイアウト欄１６２には、レイアウト識別情報が記憶されている。ここで、レイアウト識別情報は、レイアウトを識別するための情報である。
図７に示す第２対応付け情報を参照することにより、各用紙のレイアウトが特定される。例えば、図７に示す場合、用紙ＲのレイアウトがレイアウトＬ１であり、用紙ＳのレイアウトがレイアウトＬ２であることが分かる。なお、レイアウト識別情報に対応するレイアウトは、図１１に示すレイアウト一覧画面７１で参照される。例えば、レイアウトＬ１は、レイアウト識別情報欄８０に「レイアウトＬ１」と表示されている部分の上の表示ウインドウ７９に表示されているレイアウトと対応している。レイアウトＬ２は、レイアウト識別情報欄８０に「レイアウトＬ２」と表示されている部分の上の表示ウインドウ７９に表示されているレイアウトと対応している。
【００４１】
＜出力内容編集装置１０のハードウェア構成＞
図１に示す出力内容編集装置１０のハードウェア構成を図２に示す。
図２において、ＣＰＵ１４０には、メモリ１５０と表示画面１３０とキーボード１６０とマウス１９０とハードディスク１２０とＣＤ−ＲＯＭドライブ１７０とがＢＵＳライン１８０を経由して接続されている。
【００４２】
図２に示すＣＰＵ１４０は、図１に示す制御部２１，特定部２２，報知部２３に対応する。
図２に示す表示画面１３０は、図１に示す表示部２４に対応する。
図２に示すキーボード１６０とマウス１９０とは、図１に示す第１入力部１１，第２入力部１２及び第３入力部１３に対応する。
【００４３】
図２に示すハードディスク１２０は、図１に示す第１対応付け記憶部１５，第２対応付け記憶部１６，第３対応付け記憶部１７及び商品情報群記憶部１９に対応する。
図２に示すハードディスク１２０には、主として、第１対応付け情報１２１，第２対応付け情報１２２，第３対応付け情報１２３，候補商品情報群１２５，出力内容編集プログラム１２６及びＯＳ１２７が記憶されている。出力内容編集プログラム１２６と候補商品情報群１２５とは、ＣＤ−ＲＯＭドライブ１７０を介してＣＤ−ＲＯＭ１７５からインストールされたものである。
【００４４】
＜出力内容編集システム１がポップ広告用紙に出力する内容を編集する処理の流れ＞
図１に示す出力内容編集システム１がポップ広告用紙に出力する内容を編集する処理の流れを、図３，４に示すフローチャートを用いて説明する。図３，４では、１枚のポップ広告用紙に出力する内容を編集する場合について示されているが、複数のポップ広告用紙に出力する内容を編集する場合は図３，４に示す処理が繰り返されるものとする。
【００４５】
図３に示すステップＳ１では、候補商品情報群が記憶される。すなわち、図２に示す出力内容編集プログラム１２６と候補商品情報群１２５とが、ＣＤ−ＲＯＭドライブ１７０（図２参照）を介してＣＤ−ＲＯＭ１７５（図２参照）からインストールされる。そして、図１に示す商品情報群記憶部１９により、候補商品情報群（図５参照）が記憶される。ここで、候補商品情報群は、出力商品情報群の候補となる複数の商品の情報である。
【００４６】
図３に示すステップＳ２では、第１対応付け情報が入力される。すなわち、図２に示す出力内容編集プログラム１２６が起動されて、図１に示す表示部２４により、候補商品情報群（図５参照）が制御部２１経由で商品情報群記憶部１９から受け取られる。表示部２４により、候補商品情報群が表示される（図９参照）。表示された候補商品情報群に基づいて、出力商品情報群に含められるべき商品の情報の行が選択される。ここで、出力商品情報群は、候補商品情報群における２以上の商品の情報である。例えば、図９では、上から１行目〜４行目の商品が選択される。
【００４７】
図１に示す第１入力部１１に、第１対応付け情報が入力される。ここで、第１対応付け情報は、出力商品情報群と用紙識別情報とが対応付けられた情報である（図６参照）。用紙識別情報は、ポップ広告用紙を識別するための情報である（図６の用紙識別情報欄１５３参照）。すなわち、図９に示す「データ編集画面」２４１でセットアイコン２４５が押されることにより、図１０に示す「バンドル設定」画面２５１が表示される。「バンドル設定」画面２５１でセット行２５２のいずれか１以上の列のボックスがクリックされる。また、商品グループにおいて表示される順番が表示順列２５７に入力される。
【００４８】
図３に示すステップＳ３では、共通に出力される情報があるか否かが判断される。すなわち、共通に出力される情報があると判断された場合、ステップＳ４へ進められ、共通に出力される情報がないと判断された場合、ステップＳ６へ進められる。
図３に示すステップＳ４では、第３対応付け情報が入力される。ここで、第３対応付け情報は、出力商品情報群における各商品の情報と共通出力情報とが対応づけられた情報である。共通出力情報は、候補商品情報群において共通に出力される情報であることを示す情報である（図８の共通出力情報欄１７３参照）。すなわち、図１０に示す「バンドル設定」画面２５１で、セット行２５２のボックスのうち共通に出力されない情報の列のボックスのみがクリックされる。つまり、セット行２５２においてボックスがクリックされていない列の情報が、共通に出力される情報として指定される。
【００４９】
図３に示すステップＳ５では、第１対応付け情報と第３対応付け情報とが記憶される。すなわち、図１０に示す「バンドル設定」画面２５１で、登録ボタン２５６が押される。そして、第１対応付け記憶部１５により、第１対応付け情報が制御部２１経由で第１入力部１１から受け取られる。第１対応付け記憶部１５により、第１対応付け情報が記憶される。第３対応付け記憶部１７により、第３対応付け情報が制御部２１経由で第３入力部１３から受け取られる。第３対応付け記憶部１７により、第３対応付け情報が記憶される（図３，図４に示す（１））。
【００５０】
図３に示すステップＳ６では、第１対応付け情報が記憶される。すなわち、図１０に示す「バンドル設定」画面２５１で、セット行２５２の全てのボックスがクリックされ、共通に出力される情報がないものとして指定される。「バンドル設定」画面２５１で、登録ボタン２５６が押される。そして、図１に示す第１対応付け記憶部１５により、第１対応付け情報が制御部２１経由で第１入力部１１から受け取られる。第１対応付け記憶部１５により、第１対応付け情報が記憶される。なお、第３対応付け記憶部１７には、空（ＮＵＬＬ）の情報が第３対応付け情報として記憶されている（図３，図４に示す（１））。
【００５１】
図４に示すステップＳ７では、出力商品数が特定される。すなわち、図１に示す特定部２２により、第１対応付け情報が制御部２１経由で第１対応付け記憶部１５から受け取られる。特定部２２により、第１対応付け情報に基づいて、出力商品数が特定される。ここで、出力商品数は、出力される商品の数である。例えば、図６に示すように、用紙Ｒに対して、出力商品数は４つであると特定される。
【００５２】
図４に示すステップＳ８では、レイアウトが選択される。すなわち、図１２に示す「データ編集画面」２４１でレイアウトを編集したい出力商品情報群又は商品が選択され、レイアウト一覧ボタン２４８が押されることにより、図１１に示すレイアウト一覧画面７１が表示される。レイアウト一覧画面７１で、選択したいレイアウトの表示ウインドウ７９がクリックされる。
【００５３】
図４に示すステップＳ９では、第２対応付け情報が入力される。ここで、第２対応付け情報は、出力場所情報と用紙識別情報とが対応付けられた情報である（図７参照）。出力場所情報は、ポップ広告用紙において出力される場所に関する情報である（図７のレイアウト欄１６２参照）。すなわち、図１１に示すレイアウト一覧画面７１においてレイアウトが選択された状態で実行ボタン７７が押される。
【００５４】
図４に示すステップＳ１０では、第２対応付け情報が記憶される。すなわち、第２対応付け記憶部１６により、第２対応付け情報が制御部２１経由で第２入力部１２から受け取られる。第２対応付け記憶部１６により、第２対応付け情報が記憶される。
図４に示すステップＳ１１では、各商品の情報の出力される場所の数が特定される。すなわち、制御部２１により、第２対応付け記憶部１６が参照され、ポップ広告用紙に出力される商品に対応したレイアウト識別情報（例えば、「レイアウトＬ１」）が取得される。制御部２１により、レイアウト識別情報とレイアウトデータベース（図示せず）とに基づいて、レイアウトが特定される。制御部２１により、レイアウトに基づいて、各商品の情報ごとに出力される場所の数が特定される。例えば、図７，図１１に示すように、用紙Ｒに対して、出力される場所の数は４つである。
【００５５】
図４に示すステップＳ１２では、出力される場所の数よりも出力商品数が多いか否かが判断される。すなわち、制御部２１により、各商品の情報の出力される場所の数の情報と出力商品数の情報とが特定部２２から受け取られる。制御部２１により、各商品の情報の出力される場所の数よりも出力商品数が多いか否かが判断される。各商品の情報の出力される場所の数よりも出力商品数が多いと判断された場合、ステップＳ１３へ進められ、各商品の情報の出力される場所の数よりも出力商品数が多くないと判断された場合、ステップＳ１６へ進められる。
【００５６】
図４に示すステップＳ１３では、報知処理が行われる。すなわち、図１に示す報知部２３により、出力される場所の数よりも出力商品数が多い旨の情報が制御部２１から受け取られる。報知部２３により、出力される場所の数よりも出力商品数が多い旨の情報に基づいて、出力場所情報の変更に関する情報が報知される。具体的には、報知部２３により、「このレイアウトは選択しているデータ件数がすべて表示できません。選択しますか？」という警告の情報が、表示部２４へ渡され、表示部２４に表示される。
【００５７】
図４に示すステップＳ１４では、第２対応付け情報の変更が必要であるか否かが判断される。第２対応付け情報の変更が必要であると判断された場合、ステップＳ１５へ進められ、第２対応付け情報の変更が必要でないと判断された場合、ステップＳ１６へ進められる。
図４に示すステップＳ１５では、変更処理が行われる。すなわち、図１２に示す「データ編集画面」２４１でレイアウトを変更したい商品が選択され、レイアウト一覧ボタン２４８が押されることにより、図１１に示すレイアウト一覧画面７１が表示される。レイアウト一覧画面７１で、選択したいレイアウトの表示ウインドウ７９がクリックされる。レイアウト一覧画面７１で実行ボタン７７が押されることにより、第２入力部１２に、変更後の第２対応付け情報が入力される。第２対応付け記憶部１６により、変更後の第２対応付け情報が制御部２１経由で第２入力部１２から受け取られる。第２対応付け記憶部１６により、変更後の第２対応付け情報が変更前の第２対応付け情報に対して上書きで記憶される。
【００５８】
図４に示すステップＳ１６では、出力が行われる。図１に示す制御部２１により、第１対応付け記憶部１５から第１対応付け情報が受け取られ、第２対応付け記憶部１６から第２対応付け情報が受け取られ、第３対応付け記憶部１７から第３対応付け情報が受け取られる。プリンタ３０の出力部３１により、第１対応付け情報と第２対応付け情報と第３対応付け情報とが、出力内容編集装置１０から受け取られる。出力部３１により、第１対応付け情報と第２対応付け情報と第３対応付け情報とに基づいて、候補商品情報群における複数の商品の情報をポップ広告用紙に出力するための印刷データが作成される。出力部３１により、印刷データに基づき、複数の商品の情報がポップ広告用紙に印刷される。これにより、図１３に示すような、ポップ広告が得られる。
【００５９】
＜出力内容編集システム１がポップ広告用紙に出力する内容を編集する際の表示画面１３０の動作＞
図１に示す出力内容編集システム１がポップ広告用紙に出力する内容を編集する際の表示画面１３０の動作を、図９〜図１２に示す概念図を用いて説明する。
図２に示すキーボード１６０とマウス１９０とに出力内容編集プログラム１２６の起動命令が入力されると、出力内容編集プログラム１２６が起動され、初期画面（図示せず）が図２に示す表示画面１３０に表示される。初期画面（図示せず）でデータ編集の命令が選択されると、図９に示す「データ編集画面」２４１が表示される。
【００６０】
「データ編集画面」２４１では、商品情報欄２４２に候補商品情報群が表示されている。商品情報欄２４２では、選択されたセルが四角の枠で示されている。選択されたセルの情報は、入力欄２４４にも表示されている。入力欄２４４では、選択されたセルの情報が編集可能である。一方、レイアウトが設定されていないので、レイアウト表示欄２４３には何も表示されない。
【００６１】
「データ編集画面」２４１で、候補商品情報群において出力商品情報群として選択したい商品の情報の行のいずれかのセルが選択され、個別選択ボタン２４９が押される。これにより、候補商品情報群において出力商品情報群として選択したい商品の情報の行が選択されハイライト表示された状態になる。例えば、図９では、上から１行目〜４行目の商品が選択される。
【００６２】
図９に示す「データ編集画面」２４１でセットアイコン２４５が押されることにより、図１０に示す「バンドル設定」画面２５１が表示される。「バンドル設定」画面２５１でセット行２５２のいずれか１以上のボックスがクリックされる。ここで、セット行２５２においてボックスがクリックされていない列の情報が、共通に出力される情報として指定されることになる。共通に出力される情報がない場合、セット行２５２の全てのボックスがクリックされる。例えば、図１０に示す場合、商品Ａにおいて、「規格」・「商品名」・「メーカー名又は産地」・「売価」のいずれも共通に出力される情報として指定されない。また、出力商品情報群において表示される順番が表示順列２５７に入力される。例えば、図１０に示す場合、商品Ａ・商品Ｂ・商品Ｃ・商品Ｄの出力商品情報群において、商品Ａ、商品Ｂ、商品Ｃ、商品Ｄの順番に表示されるように入力されている。
【００６３】
図１０に示す「バンドル設定」画面２５１で、登録ボタン２５６が押される。そして、第１対応付け記憶部１５により、第１対応付け情報が制御部２１経由で第１入力部１１から受け取られる。第１対応付け記憶部１５により、第１対応付け情報が記憶される。
図１０に示す「バンドル設定」画面２５１で、終了ボタン２５４が押されることにより、図１２に示す「データ編集画面」２４１に戻される。図１２では、商品情報欄２４２において、出力商品情報群における複数の商品が１行で表示されている。ここで、１番左のセルに出力商品情報群であることを示す「セ」が表示されている。レイアウトの設定が行われていないので、図１２に示されていないが、レイアウト列のセルは空欄となっており、レイアウト表示欄２４３には何も表示されない。図１２では、商品Ａ・商品Ｂ・商品Ｃ・商品Ｄの出力商品情報群の規格列のセルが選択されており、「商品Ａ＠商品Ｂ＠商品Ｃ＠商品Ｄ」が入力欄２４４に表示されている。このように、商品情報欄２４２において、出力商品情報群における商品の情報は、共通に出力される情報として指定されていないものが並列的に表示され、共通に出力される情報として指定されたものが１つだけ表示される。
【００６４】
図１２に示す「データ編集画面」２４１で、１枚のポップ公告用紙に出力したい商品の情報の行のいずれかのセルが選択され、個別選択ボタン２４９が押される。これにより、用紙を設定したい商品が選択されハイライト表示された状態になる。例えば、図１２では、上から１行目の出力商品情報群が選択される。
図１２に示す「データ編集画面」２４１で用紙アイコン２６１が押されることにより、用紙の設定の画面（図示せず）が表示される。そして、用紙の設定が行われ、図１２に示す「データ編集画面」２４１へ戻される。
【００６５】
図１２に示す「データ編集画面」２４１でレイアウトを編集したい商品の情報の行のいずれかのセルが選択され、個別選択ボタン２４９が押される。これにより、レイアウトを設定したい出力商品情報群又は商品が選択されハイライト表示された状態になる。例えば、図１２では、上から１行目の出力商品情報群が選択される。
図１２に示す「データ編集画面」２４１でレイアウト一覧ボタン２４８が押されることにより、図１１に示すレイアウト一覧画面７１が表示される。レイアウト一覧画面７１では、表示ウインドウ７９に候補となるレイアウトが表示され、レイアウト識別情報欄８０にレイアウトと対応したレイアウト識別情報が表示される。レイアウト一覧画面７１で、レイアウトの設定が中止される場合、取消ボタン７２が押され、図１２に示す「データ編集画面」２４１に戻される。
【００６６】
図１１に示すレイアウト一覧画面７１で、選択したいレイアウトの表示ウインドウ７９がクリックされる。例えば、商品Ａ・商品Ｂ・商品Ｃ・商品Ｄの出力商品情報群については、「レイアウトＬ１」と表示されている部分の上の表示ウインドウ７９がクリックされる。レイアウト一覧画面７１においてレイアウトが選択された状態で実行ボタン７７が押される。そして、実行ボタン７７が押されたことにより、図１２に示す「データ編集画面」２４１に戻される。
【００６７】
「データ編集画面」２４１では、レイアウトが設定されたので、レイアウト識別情報「レイアウトＬ１」がレイアウト列のセルに表示されている。また、レイアウト表示欄２４３には、出力商品情報群における各商品の情報が組み込まれた形でレイアウトが表示される。
「データ編集画面」２４１では、印刷ボタン２４６が押されることにより、複数の商品の情報がポップ広告用紙に出力される（図１３参照）。
【００６８】
＜出力内容編集システム１に関する特徴＞
（１）
ここでは、図１に示す商品情報群記憶部１９が、候補商品情報群を記憶している。候補商品情報群が表示画面１３０（図２参照）に表示される。候補商品情報群から出力商品情報群が選択される。第１入力部１１に、第１対応付け情報（図６参照）が入力される。第１対応付け情報（図６参照）が記憶される。
【００６９】
したがって、第１対応付け情報（図６参照）が入力されるので、複数の商品の情報とポップ広告用紙とを関連づけることが可能である。このため、複数の商品の情報を１枚のポップ広告用紙に出力することが可能である。この結果、複数の商品についてポップ広告を作成することが可能である。
（２）
ここでは、図１に示す商品情報群記憶部１９が、候補商品情報群を記憶している。表示部２４が、候補商品情報群を制御部２１経由で商品情報群記憶部１９から受け取る。表示部２４が、候補商品情報群を表示する。表示部２４が表示した候補商品情報群に基づいて、候補商品情報群から出力商品情報群が選択される。第１入力部１１に、第１対応付け情報（図６参照）が入力される。第１対応付け記憶部１５が、第１対応付け情報を制御部２１経由で第１入力部１１から受け取る。第１対応付け記憶部１５が、第１対応付け情報（図６参照）を記憶する。
【００７０】
したがって、候補商品情報群を表示するので、第１入力部１１に第１対応付け情報が入力される際に、候補商品情報群から出力商品情報群を選択することが可能である。また、第１対応付け情報を記憶するので、複数の商品の情報とポップ広告用紙とを関連づけることが可能である。
（３）
ここでは、図１に示す商品情報群記憶部１９が、候補商品情報群を記憶している。候補商品情報群が表示画面１３０（図２参照）に表示される。候補商品情報群から出力商品情報群が選択される。第１入力部１１に、第１対応付け情報（図６参照）が入力される。第１対応付け情報（図６参照）が記憶される。出力部３１が、第１対応付け情報を制御部２１経由で第１対応付け記憶部１５から受け取る。出力部３１が、第１対応付け情報（図６参照）に基づいて、候補商品情報群における複数の商品の情報をポップ広告用紙に出力する。
【００７１】
したがって、第１対応付け情報（図６参照）に基づいて、候補商品情報群における複数の商品の情報をポップ広告用紙に出力するので、複数の商品の情報を１枚のポップ広告用紙に出力することが可能である。
（４）
ここでは、図１に示す商品情報群記憶部１９が、候補商品情報群を記憶している。候補商品情報群が表示画面１３０（図２参照）に表示される。候補商品情報群から出力商品情報群が選択される。候補商品情報群における各商品の情報が、各商品の商品名、各商品のメーカー名、各商品の産地、各商品の規格及び各商品の売価を含む（図５参照）。第１入力部１１に、第１対応付け情報（図６参照）が入力される。第１対応付け情報（図６参照）が記憶される。
【００７２】
したがって、詳細な情報を考慮して、候補商品情報群から出力商品情報群を選択することが可能である。
（５）
ここでは、図１に示す商品情報群記憶部１９が、候補商品情報群を記憶している。候補商品情報群が表示画面１３０（図２参照）に表示される。候補商品情報群から出力商品情報群が選択される。第１入力部１１に、第１対応付け情報（図６参照）が入力される。第１対応付け情報（図６参照）が記憶される。第２入力部１２に、第２対応付け情報（図７参照）が入力される。第２対応付け記憶部１６が、第２対応付け情報を制御部２１経由で第２入力部１２から受け取る。第２対応付け記憶部１６が、第２対応付け情報（図７参照）を記憶する。出力部３１が、第１対応付け情報（図６参照）を制御部２１経由で第１対応付け記憶部１５から受け取り、第２対応付け情報（図７参照）を制御部２１経由で第２対応付け記憶部１６から受け取る。出力部３１が、第１対応付け情報（図６参照）と第２対応付け情報（図７参照）とに基づいて、候補商品情報群における複数の商品の情報をポップ広告用紙に出力する。
【００７３】
したがって、第１対応付け情報（図６参照）と第２対応付け情報（図７参照）とに基づいて、候補商品情報群における複数の商品の情報をポップ広告用紙に出力するので、レイアウトを考慮しながら複数の商品の情報を１枚のポップ広告用紙に出力することが可能である。
（６）
ここでは、図１に示す商品情報群記憶部１９が、候補商品情報群を記憶している。候補商品情報群が表示画面１３０（図２参照）に表示される。候補商品情報群から出力商品情報群が選択される。第１入力部１１に、第１対応付け情報（図６参照）が入力される。第１対応付け情報（図６参照）が記憶される。第３入力部１３に、第３対応付け情報（図８参照）が入力される。第３対応付け記憶部１７が、第３対応付け情報を制御部２１経由で第３対応付け記憶部１７から受け取る。第３対応付け記憶部１７が、第３対応付け情報（図８参照）を記憶する。出力部３１が、第１対応付け情報（図６参照）を制御部２１経由で第１対応付け記憶部１５から受け取り、第３対応付け情報（図８参照）を制御部２１経由で第３対応付け記憶部１７から受け取る。出力部３１が、第１対応付け情報（図６参照）と第３対応付け情報（図８参照）とに基づいて、候補商品情報群における複数の商品の情報をポップ広告用紙に出力する。
【００７４】
したがって、第１対応付け情報（図６参照）と第３対応付け情報（図８参照）とに基づいて、出力商品情報群をポップ広告用紙に出力するので、共通の情報が重複して出力されることを低減しながら、複数の商品の情報を１枚のポップ広告用紙に出力することが可能である。
（７）
ここでは、図１に示す商品情報群記憶部１９が、候補商品情報群を記憶している。候補商品情報群が表示画面１３０（図２参照）に表示される。候補商品情報群から出力商品情報群が選択される。第１入力部１１に、第１対応付け情報（図６参照）が入力される。第１対応付け情報（図６参照）が記憶される。第２入力部１２に、第２対応付け情報（図７参照）が入力される。特定部２２が、第１対応付け情報を制御部２１経由で第１対応付け記憶部１５から受け取る。特定部２２が、第１対応付け情報に基づいて、出力商品数を特定する。特定部２２が、第２対応付け情報を制御部２１経由で第２対応付け記憶部１６から受け取る。特定部２２が、第２対応付け情報に基づいて、各商品の情報の出力される場所の数を特定する。制御部２１が、各商品の情報の出力される場所の数の情報と出力商品数の情報とを特定部２２から受け取る。制御部２１が、各商品の情報の出力される場所の数よりも出力商品数が多いか否かを判断する。報知部２３が、出力される場所の数よりも出力商品数が多いか否かの情報を制御部２１から受け取る。報知部２３が、各商品の情報の出力される場所の数よりも出力商品数が多いと制御部２１が判断する場合に、出力場所情報の変更に関する情報を報知する。
【００７５】
したがって、各商品の情報の出力される場所の数よりも出力商品数が多いと制御部２１が判断する場合に、出力場所情報の変更に関する情報を報知部２３が報知するので、出力したい複数の商品の一部の情報が出力されない不具合を低減することができる。
＜第１実施形態の変形例＞
（Ａ）図３に示すステップＳ２〜ステップＳ６において、複数の出力商品情報群が設定されてもよい。この場合、ステップＳ５及びステップＳ６の後に、別の出力商品情報群を設定する必要があるか否かが判断されるステップが入る。このステップにおいて、別の出力商品情報群を設定する必要があると判断された場合、ステップＳ２へ進められ、別の出力商品情報群を設定する必要がないと判断された場合、ステップＳ７（図３，図４に示す（１））へ進められる。
【００７６】
複数の出力商品情報群が同じ用紙に対応づけられるように、第１対応付け情報が第１入力部１１（図１参照）に入力されてもよい。あるいは、出力商品情報群に属さない１以上の商品と１以上の出力商品情報群とが同じ用紙に対応づけられるように、第１対応付け情報が第１入力部１１（図１参照）に入力されてもよい。例えば、図６に示す第１対応付け情報において、商品Ａ・商品Ｂ・商品Ｃ・商品Ｄ（出力商品情報群）と商品Ｆ（出力商品情報群に属さない商品）との用紙識別情報欄１５３に、ともに、「用紙Ｒ」と記憶されていてもよい。
【００７７】
なお、出力商品情報群を構成する商品の数は、２以上の数のいくつであってもよい。
（Ｂ）各商品の情報の出力される場所の数は、図１に示す特定部２２が特定する代わりに、制御部２１が特定してもよい。また、各商品の情報の出力される場所の数よりも出力商品数が多いか否かは、制御部２１が判断する代わりに、判断部（図示せず）が判断してもよい。
【００７８】
（Ｃ）図５に示す候補商品情報群における各商品の情報は、各商品の商品名、各商品のメーカー名、各商品の産地、各商品の規格、各商品の売価及び各商品の表示順の少なくとも１つを含んでいてもよい。すなわち、図５において、各商品の表示順の欄がさらに設けられていてもよい。この場合、図６に示す第１対応付け情報において、表示順欄１５４はなくてもよい。また、図３に示すステップＳ２において、図１０に示す「バンドル設定」画面２５１で、商品グループにおいて表示される順番が表示順列２５７に入力されなくてもよい。
【００７９】
図５に示す候補商品情報群における各商品の情報は、ＣＤ−ＲＯＭ１７５からインストールされたものである代わりに、図９に示す「データ編集画面」２４１の入力欄２４４を介して入力されたものであってもよい。
（Ｄ）図４に示すステップＳ１４では、第２対応付け情報の変更が必要でないと判断された場合、出力される場所の数が出力商品数に対して足りなくても、出力される場所の数に対応する出力商品情報群又は商品の情報のみが出力されるようになっている。その代わりに、出力される場所の数が出力商品数に対して足りない場合は、必ず別のレイアウトを選択させるようになっていてもよい。
【００８０】
この場合、図１に示す出力内容編集システム１がポップ広告用紙に出力する内容を編集する処理の流れが、図１４，１５に示すように、次の点で第１実施形態と異なる。なお、図１４，１５において、第１実施形態と同様の処理は、同じ記号で示し説明を省略する。
図１５に示すステップＳ１０１では、各商品の情報の出力される場所の数が特定される。すなわち、図１１に示すレイアウト一覧画面７１で、選択したいレイアウトの表示ウインドウ７９がクリックされたことにより、制御部２１により、ポップ広告用紙に出力される商品に対応したレイアウト識別情報が取得される。制御部２１により、レイアウト識別情報に基づいて、レイアウトが特定される。制御部２１により、レイアウトに基づいて、各商品の情報ごとに出力される場所の数が特定される。
【００８１】
図１５に示すステップＳ１０２では、出力される場所の数よりも出力商品数が多いか否かが判断される。すなわち、制御部２１により、各商品の情報の出力される場所の数の情報と出力商品数の情報とが特定部２２から受け取られる。制御部２１により、各商品の情報の出力される場所の数よりも出力商品数が多いか否かが判断される。各商品の情報の出力される場所の数よりも出力商品数が多いと判断された場合、ステップＳ１０３へ進められ、各商品の情報の出力される場所の数よりも出力商品数が多くないと判断された場合、ステップＳ９へ進められる。
【００８２】
図１５に示すステップＳ１０３では、報知処理が行われる。すなわち、図１に示す報知部２３により、出力される場所の数よりも出力商品数が多い旨の情報が制御部２１から受け取られる。報知部２３により、出力される場所の数よりも出力商品数が多い旨の情報に基づいて、出力場所情報の変更に関する情報が報知される。具体的には、報知部２３により、「このレイアウトは選択しているデータ件数がすべて表示できないため選択できません。」という警告の情報が、表示部２４へ渡され、表示部２４に表示される。
【００８３】
（Ｅ）図４に示すステップＳ１２では、出力される場所の数よりも出力商品数が多いか否かが判断されている。その代わりに、レイアウトが選択される際に、出力される場所の数が出力商品数以上であるレイアウトのみが表示されるようになっていてもよい。
この場合、図１に示す出力内容編集システム１がポップ広告用紙に出力する内容を編集する処理の流れが、図１６，１７に示すように、次の点で第１実施形態と異なる。なお、図１６，１７において、第１実施形態と同様の処理は、同じ記号で示し説明を省略する。
【００８４】
図１７に示すステップＳ２０１では、レイアウトが選択される。すなわち、図１に示す制御部２１により、出力商品数の情報が特定部２２から受け取られる。図１２に示す「データ編集画面」２４１でレイアウトを編集したい商品が選択され、レイアウト一覧ボタン２４８が押されることにより、レイアウトデータベース（図示せず）が参照される。図１に示す制御部２１により、レイアウトデータベース（図示せず）のレイアウトのうち、出力される場所の数が出力商品数以上であるレイアウトのみが取得され表示部２４に渡される。表示部２４により、図１８に示すレイアウト一覧画面７１が表示される。レイアウト一覧画面７１で、選択したいレイアウトの表示ウインドウ７９がクリックされる。
【００８５】
なお、図１８に示すレイアウト一覧画面７１では、出力商品数が２つである場合の例が示されており、出力される場所の数が２つのレイアウトのみが表示されているが、出力される場所の数が３つ以上のレイアウトが表示されてもよい。すなわち、出力される場所の数が出力商品数よりも多いレイアウトがさらに表示されてもよい。
（Ｆ）図１に示す出力内容編集装置１０の制御部２１からプリンタ３０の出力部３１へ渡されるのは、第１対応付け情報と第２対応付け情報と第３対応付け情報とである代わりに、第１対応付け情報と第２対応付け情報と第３対応付け情報とに基づいて生成された印刷データであってもよい。この場合、プリンタ３０の出力部３１は、制御部２１から受け取った印刷データに基づいて、複数の商品の情報をポップ広告用紙に印刷することになる。したがって、プリンタ３０の出力部３１の構造を簡略化することができる。
【産業上の利用可能性】
【００８６】
本発明にかかる出力内容編集システム、出力内容編集プログラム及び出力内容編集方法は、複数の商品についてポップ広告を作成することができるという効果を有し、出力内容編集システム、出力内容編集プログラム及び出力内容編集方法等として有用である。
【図面の簡単な説明】
【００８７】
【図１】本発明の第１実施形態による出力内容編集システムの構成図。
【図２】本発明の第１実施形態による出力内容編集システムのハードウェア構成図。
【図３】出力内容編集システムがポップ広告用紙に出力する内容を編集する処理の流れを示すフローチャート。
【図４】出力内容編集システムがポップ広告用紙に出力する内容を編集する処理の流れを示すフローチャート。
【図５】候補商品情報群の構成を示す概念図。
【図６】第１対応付け情報の構成を示す概念図。
【図７】第２対応付け情報の構成を示す概念図。
【図８】第３対応付け情報の構成を示す概念図。
【図９】出力内容編集システムがポップ広告用紙に出力する内容を編集する際の表示画面の動作を示す図。
【図１０】出力内容編集システムがポップ広告用紙に出力する内容を編集する際の表示画面の動作を示す図。
【図１１】出力内容編集システムがポップ広告用紙に出力する内容を編集する際の表示画面の動作を示す図。
【図１２】出力内容編集システムがポップ広告用紙に出力する内容を編集する際の表示画面の動作を示す図。
【図１３】ポップ広告用紙を示す概念図。
【図１４】出力内容編集システム１がポップ広告用紙に出力する内容を編集する処理の流れを示すフローチャート（変形例）。
【図１５】出力内容編集システムがポップ広告用紙に出力する内容を編集する処理の流れを示すフローチャート（変形例）。
【図１６】出力内容編集システム１がポップ広告用紙に出力する内容を編集する処理の流れを示すフローチャート（変形例）。
【図１７】出力内容編集システムがポップ広告用紙に出力する内容を編集する処理の流れを示すフローチャート（変形例）。
【図１８】出力内容編集システムがポップ広告用紙に出力する内容を編集する際の表示画面の動作を示す図（変形例）。
【符号の説明】
【００８８】
１  出力内容編集システム
１０  出力内容編集装置
３０  プリンタ
【図１】
2006120077.tif 000003
【図２】
2006120077.tif 000004
【図３】
2006120077.tif 000005
【図４】
2006120077.tif 000006
【図５】
2006120077.tif 000007
【図６】
2006120077.tif 000008
【図７】
2006120077.tif 000009
【図８】
2006120077.tif 000010
【図９】
2006120077.tif 000011
【図１０】
2006120077.tif 000012
【図１１】
2006120077.tif 000013
【図１２】
2006120077.tif 000014
【図１３】
2006120077.tif 000015
【図１４】
2006120077.tif 000016
【図１５】
2006120077.tif 000017
【図１６】
2006120077.tif 000018
【図１７】
2006120077.tif 000019
【図１８】
2006120077.tif 000020